(57)【要約】【課題】収納性を高めることができる頭部装着型表示装置を提供する。【解決手段】頭部装着型表示装置は、表示部、支持部、第１及び第２テンプルを備え、支持部は、第１及び第２テンプルを回動可能に支持する第１及び第２軸支部を有し、第１テンプルは、第１延出部及び第１モダンを有し、第２テンプルは、第２延出部及び第２モダンを有し、第１軸支部から第２軸支部に向かう方向を第１方向、第１方向に交差し、第１テンプルの伸長状態での第１延出部の延出方向を第２方向、並びに、第１方向及び第２方向に交差し、第１テンプルの折曲状態で第１延出部に対して第１モダンの先端部が位置する方向を第３方向とすると、第１及び第２テンプルの折曲状態を第２方向から見た場合、第１延出部は、第１方向に向かって第３方向とは反対方向に傾斜するように延出し、第２延出部は、第１方向とは反対方向に向かって第３方向とは反対方向に傾斜するように延出している。【選択図】図１４
2020053873.tif 000002
【特許請求の範囲】
【請求項１】
画像光を出射して前記画像光により形成される画像を表示する表示部と、
前記表示部を支持する支持部と、
前記支持部にそれぞれ回動可能に設けられる第１テンプル及び第２テンプルと、を備え、
前記支持部は、
第１回動軸を中心として前記第１テンプルを回動可能に支持する第１軸支部と、
第２回動軸を中心として前記第２テンプルを回動可能に支持する第２軸支部と、を有し、
前記第１テンプルは、
前記第１軸支部と接続される第１延出部と、
前記第１延出部における前記第１軸支部とは反対側に設けられた第１モダンと、を有し、
前記第２テンプルは、
前記第２軸支部と接続される第２延出部と、
前記第２延出部における前記第２軸支部とは反対側に設けられた第２モダンと、を有し、
前記第１軸支部から前記第２軸支部に向かう方向を第１方向とし、
前記第１方向に交差し、前記第１テンプルが伸長された状態での前記第１軸支部からの前記第１延出部の延出方向を第２方向とし、
前記第１方向及び前記第２方向に交差し、前記第１テンプルが前記第１方向に沿うように前記第１軸支部にて折り曲げられた状態で、前記第１延出部に対して前記第１モダンの先端部が位置する方向を第３方向とすると、
前記第１テンプルが前記第１軸支部にて折り曲げられ、前記第２テンプルが前記第２軸支部にて折り曲げられた状態を前記第２方向から見た場合、
前記第１延出部は、前記第１方向に向かうに従って前記第３方向とは反対方向に傾斜するように前記第１軸支部から延出し、
前記第２延出部は、前記第１方向とは反対方向に向かうに従って前記第３方向とは反対方向に傾斜するように前記第２軸支部から延出していることを特徴とする頭部装着型表示装置。
【請求項２】
請求項１に記載の頭部装着型表示装置において、
前記第２方向から見て、前記第１回動軸及び前記第２回動軸は、前記第３方向に向かうに従って、前記第３方向と平行で前記第１方向における前記頭部装着型表示装置の中心を通る中心線に近接する方向に傾斜していることを特徴とする頭部装着型表示装置。
【請求項３】
請求項１又は請求項２に記載の頭部装着型表示装置において、
前記第１回動軸及び前記第２回動軸は、前記第３方向に向かうに従って前記第２方向とは反対方向に傾斜していることを特徴とする頭部装着型表示装置。
【請求項４】
頭部装着型表示装置であって、
画像光を出射して前記画像光により形成される画像を表示する表示部と、
前記表示部を支持する支持部と、
前記支持部にそれぞれ回動可能に設けられる第１テンプル及び第２テンプルと、を備え、
前記支持部は、
第１回動軸を中心として前記第１テンプルを回動可能に支持する第１軸支部と、
第２回動軸を中心として前記第２テンプルを回動可能に支持する第２軸支部と、を有し、
前記第１テンプルは、
前記第１軸支部と接続される第１延出部と、
前記第１延出部における前記第１軸支部とは反対側に設けられた第１モダンと、を有し、
前記第２テンプルは、
前記第２軸支部と接続される第２延出部と、
前記第２延出部における前記第２軸支部とは反対側に設けられた第２モダンと、を有し、
前記第１軸支部から前記第２軸支部に向かう方向を第１方向とし、
前記第１方向に交差し、前記第１テンプルが伸長された状態での前記第１軸支部からの前記第１延出部の延出方向を第２方向とし、
前記第１方向及び前記第２方向に交差し、前記第１テンプルが前記第１方向に沿うように前記第１軸支部にて折り曲げられた状態で、前記第１延出部に対して前記第１モダンの先端部が位置する方向を第３方向とすると、
前記第２方向から見て、前記第１回動軸及び前記第２回動軸は、前記第３方向に向かうに従って、前記第３方向と平行で前記第１方向における前記頭部装着型表示装置の中心を通る中心線に近接する方向に傾斜していることを特徴とする頭部装着型表示装置。
【請求項５】
画像光を出射して前記画像光により形成される画像を表示する表示部と、
前記表示部を支持する支持部と、
前記支持部にそれぞれ回動可能に設けられる第１テンプル及び第２テンプルと、を備え、
前記支持部は、
第１回動軸を中心として前記第１テンプルを回動可能に支持する第１軸支部と、
第２回動軸を中心として前記第２テンプルを回動可能に支持する第２軸支部と、を有し、
前記第１テンプルは、
前記第１軸支部と接続される第１延出部と、
前記第１延出部における前記第１軸支部とは反対側に設けられた第１モダンと、を有し、
前記第２テンプルは、
前記第２軸支部と接続される第２延出部と、
前記第２延出部における前記第２軸支部とは反対側に設けられた第２モダンと、を有し、
前記第１軸支部から前記第２軸支部に向かう方向を第１方向とし、
前記第１方向に交差し、前記第１テンプルが伸長された状態での前記第１軸支部からの前記第１延出部の延出方向を第２方向とし、
前記第１方向及び前記第２方向に交差し、前記第１テンプルが前記第１方向に沿うように前記第１軸支部にて折り曲げられた状態で、前記第１延出部に対して前記第１モダンの先端部が位置する方向を第３方向とすると、
前記第１回動軸及び前記第２回動軸は、前記第３方向に向かうに従って前記第２方向とは反対方向に傾斜していることを特徴とする頭部装着型表示装置。
【請求項６】
請求項１から請求項５のいずれか一項に記載の頭部装着型表示装置において、
前記表示部は、
前記画像光を出射する画像出射部と、
前記画像出射部から出射された前記画像光を所定の視認位置に導く導光部と、を備え、
前記第１テンプル及び前記第２テンプルのうち少なくとも１つのテンプルは、前記画像出射部より前記第１方向における前記頭部装着型表示装置の中心側に位置していることを特徴とする頭部装着型表示装置。
【発明の詳細な説明】
【技術分野】
【０００１】
本発明は、頭部装着型表示装置に関する。
【背景技術】
【０００２】
従来、ユーザーの頭部に装着されて利用され、ユーザーに視認可能に画像を表示する頭部装着型表示装置が知られている。このような頭部装着型表示装置として、眼鏡型のフレームを備えるＨＭＤ（Head Mounted Display）が知られている（例えば、特許文献１参照）。
【０００３】
特許文献１に記載のＨＭＤは、コントロールユニット、投影ユニット及びフレームを備える。フレームは、投影ユニットを支持するとともに、ユーザーの頭部に装着される部分であり、ユーザーの顔の前に位置するフロント部と、フロント部の左右両端部から後方に延びるヨロイ部と、各ヨロイ部に回動可能に連結される一対のテンプル部と、を有する。
一対のテンプル部は、ユーザーの顔を左右両側から挟む部位であり、ユーザーの頭部に沿うように、前側から後側にかけて一旦外側に向けて膨らみ、その後、内側に向かうように、全体として湾曲する形状を有する。各テンプル部は、前側から後側にかけて内側に向かう後半部分において、ユーザーの耳に掛かる部分となるセル部を有する。セル部は、前側から後側にかけて斜下側に向かうように湾曲形成されている。
このようなテンプル部とヨロイ部とは、ヨロイ部の後端部に設けられるヒンジ部にて連結される。具体的に、テンプル部は、ヒンジ部において、フロント部及びヨロイ部を含む構成に対して折り畳むことができるように、上下方向を回動軸方向として回動可能に連結されている。従って、一対のテンプル部は、フロント部に対して開閉可能に支持され、開いた状態で使用者の頭部に沿うような態様となる。
【先行技術文献】
【特許文献】
【０００４】
【特許文献１】特開２０１２−５４７１３号公報
【発明の概要】
【発明が解決しようとする課題】
【０００５】
上記のように、特許文献１に記載のＨＭＤにおけるテンプル部は、上下方向を回動軸方向として回動可能にヨロイ部と連結されており、テンプル部の後半部分にはセル部が設けられている。このため、テンプル部をフロント部及びヨロイ部を含む構成に対して折り畳んだ場合、セル部の大きさによっては、一般的な眼鏡におけるレンズのような態様で設けられてユーザーの左右の眼を覆う透過性を有するシート部材の下方にセル部が突出してしまう。このような場合、ＨＭＤをケースや鞄等に収納しづらいという問題がある。
【課題を解決するための手段】
【０００６】
本発明の第１態様に係る頭部装着型表示装置は、画像光を出射して前記画像光により形成される画像を表示する表示部と、前記表示部を支持する支持部と、前記支持部にそれぞれ回動可能に設けられる第１テンプル及び第２テンプルと、を備え、前記支持部は、第１回動軸を中心として前記第１テンプルを回動可能に支持する第１軸支部と、第２回動軸を中心として前記第２テンプルを回動可能に支持する第２軸支部と、を有し、前記第１テンプルは、前記第１軸支部と接続される第１延出部と、前記第１延出部における前記第１軸支部とは反対側に設けられた第１モダンと、を有し、前記第２テンプルは、前記第２軸支部と接続される第２延出部と、前記第２延出部における前記第２軸支部とは反対側に設けられた第２モダンと、を有し、前記第１軸支部から前記第２軸支部に向かう方向を第１方向とし、前記第１方向に交差し、前記第１テンプルが伸長された状態での前記第１軸支部からの前記第１延出部の延出方向を第２方向とし、前記第１方向及び前記第２方向に交差し、前記第１テンプルが前記第１方向に沿うように前記第１軸支部にて折り曲げられた状態で、前記第１延出部に対して前記第１モダンの先端部が位置する方向を第３方向とすると、前記第１テンプルが前記第１軸支部にて折り曲げられ、前記第２テンプルが前記第２軸支部にて折り曲げられた状態を前記第２方向から見た場合、前記第１延出部は、前記第１方向に向かうに従って前記第３方向とは反対方向に傾斜するように前記第１軸支部から延出し、前記第２延出部は、前記第１方向とは反対方向に向かうに従って前記第３方向とは反対方向に傾斜するように前記第２軸支部から延出していることを特徴とする。
【０００７】
上記第１態様では、前記第２方向から見て、前記第１回動軸及び前記第２回動軸は、前記第３方向に向かうに従って、前記第３方向と平行で前記第１方向における前記頭部装着型表示装置の中心を通る中心線に近接する方向に傾斜していることが好ましい。
【０００８】
上記第１態様では、前記第１回動軸及び前記第２回動軸は、前記第３方向に向かうに従って前記第２方向とは反対方向に傾斜していることが好ましい。
【０００９】
本発明の第２態様に係る頭部装着型表示装置は、頭部装着型表示装置であって、画像光を出射して前記画像光により形成される画像を表示する表示部と、前記表示部を支持する支持部と、前記支持部にそれぞれ回動可能に設けられる第１テンプル及び第２テンプルと、を備え、前記支持部は、第１回動軸を中心として前記第１テンプルを回動可能に支持する第１軸支部と、第２回動軸を中心として前記第２テンプルを回動可能に支持する第２軸支部と、を有し、前記第１テンプルは、前記第１軸支部と接続される第１延出部と、前記第１延出部における前記第１軸支部とは反対側に設けられた第１モダンと、を有し、前記第２テンプルは、前記第２軸支部と接続される第２延出部と、前記第２延出部における前記第２軸支部とは反対側に設けられた第２モダンと、を有し、前記第１軸支部から前記第２軸支部に向かう方向を第１方向とし、前記第１方向に交差し、前記第１テンプルが伸長された状態での前記第１軸支部からの前記第１延出部の延出方向を第２方向とし、前記第１方向及び前記第２方向に交差し、前記第１テンプルが前記第１方向に沿うように前記第１軸支部にて折り曲げられた状態で、前記第１延出部に対して前記第１モダンの先端部が位置する方向を第３方向とすると、前記第２方向から見て、前記第１回動軸及び前記第２回動軸は、前記第３方向に向かうに従って、前記第３方向と平行で前記第１方向における前記頭部装着型表示装置の中心を通る中心線に近接する方向に傾斜していることを特徴とする。
【００１０】
本発明の第３態様に係る頭部装着型表示装置は、画像光を出射して前記画像光により形成される画像を表示する表示部と、前記表示部を支持する支持部と、前記支持部にそれぞれ回動可能に設けられる第１テンプル及び第２テンプルと、を備え、前記支持部は、第１回動軸を中心として前記第１テンプルを回動可能に支持する第１軸支部と、第２回動軸を中心として前記第２テンプルを回動可能に支持する第２軸支部と、を有し、前記第１テンプルは、前記第１軸支部と接続される第１延出部と、前記第１延出部における前記第１軸支部とは反対側に設けられた第１モダンと、を有し、前記第２テンプルは、前記第２軸支部と接続される第２延出部と、前記第２延出部における前記第２軸支部とは反対側に設けられた第２モダンと、を有し、前記第１軸支部から前記第２軸支部に向かう方向を第１方向とし、前記第１方向に交差し、前記第１テンプルが伸長された状態での前記第１軸支部からの前記第１延出部の延出方向を第２方向とし、前記第１方向及び前記第２方向に交差し、前記第１テンプルが前記第１方向に沿うように前記第１軸支部にて折り曲げられた状態で、前記第１延出部に対して前記第１モダンの先端部が位置する方向を第３方向とすると、前記第１回動軸及び前記第２回動軸は、前記第３方向に向かうに従って前記第２方向とは反対方向に傾斜していることを特徴とする。
【００１１】
上記第１〜第３態様では、前記表示部は、前記画像光を出射する画像出射部と、前記画像出射部から出射された前記画像光を所定の視認位置に導く導光部と、を備え、前記第１テンプル及び前記第２テンプルのうち少なくとも１つのテンプルは、前記画像出射部より前記第１方向における前記頭部装着型表示装置の中心側に位置していることが好ましい。
【図面の簡単な説明】
【００１２】
【図１】本発明の第１実施形態に係る頭部装着型表示装置を示す正面図。
【図２】上記第１実施形態における頭部装着型表示装置を示す斜視図。
【図３】上記第１実施形態における頭部装着型表示装置を示す斜視図。
【図４】上記第１実施形態における頭部装着型表示装置を示す平面図。
【図５】上記第１実施形態における頭部装着型表示装置を示す背面図。
【図６】上記第１実施形態における装置本体を示す分解斜視図。
【図７】上記第１実施形態における装置本体を示す分解斜視図。
【図８】上記第１実施形態における左側筐体及び右側筐体を示す正面図。
【図９】上記第１実施形態におけるテンプルを示す斜視図。
【図１０】上記第１実施形態におけるテンプルを示す斜視図。
【図１１】上記第１実施形態における左側筐体及びテンプルを示す側面図。
【図１２】上記第１実施形態における左側筐体及びテンプルを示す正面図。
【図１３】上記第１実施形態における一方のテンプルを折曲状態にした頭部装着型表示装置を示す平面図。
【図１４】上記第１実施形態における一方のテンプルを折曲状態にした頭部装着型表示装置を示す背面図。
【図１５】本発明の第２実施形態に係る頭部装着型表示装置を示す平面図。
【図１６】上記第２実施形態における左側筐体及びテンプルを示す正面図。
【図１７】上記第２実施形態における左側筐体及びテンプルを示す側面図。
【図１８】上記第２実施形態における一方のテンプルを折曲状態にした頭部装着型表示装置を示す背面図。
【図１９】上記第１及び第２実施形態に係る頭部装着型表示装置の変形である頭部装着型表示装置を示す斜視図。
【発明を実施するための形態】
【００１３】
［第１実施形態］
以下、本発明の第１実施形態を、図面に基づいて説明する。
［頭部装着型表示装置の概略構成］
図１は、本実施形態に係る頭部装着型表示装置１Ａを示す正面図である。詳述すると、図１は、後述するテンプル５ＬＡ，５ＲＡの配置状態が伸長状態である頭部装着型表示装置１Ａを示す正面図である。また、図２及び図３は、頭部装着型表示装置１Ａを正面側上方及び背面側下方から見た斜視図である。詳述すると、図２及び図３は、装置本体２Ａからカバー部材６を分離した状態の頭部装着型表示装置１Ａを示す分解斜視図である。また、図４は、頭部装着型表示装置１Ａを上方から見た平面図であり、図５は、頭部装着型表示装置１Ａを示す背面図である。
本実施形態に係る頭部装着型表示装置１Ａは、ユーザーの頭部に装着されて利用され、画像光を出射することにより、出射された画像光によって形成される画像をユーザーによって視認可能に表示する虚像表示装置であり、いわゆるＨＭＤである。頭部装着型表示装置１Ａは、図１〜図５に示すように、装置本体２Ａと、装置本体２Ａにそれぞれ着脱可能に設けられるカバー部材６と、を有する。
【００１４】
以下の説明では、互いに垂直な３方向を＋Ｘ方向、＋Ｙ方向及び＋Ｚ方向とし、頭部装着型表示装置１Ａの背面から正面に向かう方向を＋Ｚ方向とする。また、頭部装着型表示装置１Ａを＋Ｚ方向から見て右から左に向かう方向を＋Ｘ方向とし、頭部装着型表示装置１Ａを＋Ｚ方向から見て下から上に向かう方向を＋Ｙ方向とする。
本実施形態では、後述する表示部３が画像光を出射する方向とは反対方向を＋Ｚ方向とする。また、図１に点線で示すように、頭部装着型表示装置１Ａを＋Ｚ方向から見て頭部装着型表示装置１Ａの外形が含まれる最小の長方形ＲＣを設定した場合、長方形ＲＣの長辺ＬＳに沿って右から左に向かう方向を＋Ｘ方向とし、長方形ＲＣの短辺ＳＳに沿って下から上に向かう方向を＋Ｙ方向とする。なお、＋Ｘ方向は、装置本体２Ａの後述する軸支部４２Ｌ２から軸支部４２Ｒ２に向かう方向と平行である。
また、図示を省略するが、説明の便宜上、＋Ｘ方向、＋Ｙ方向及び＋Ｚ方向のそれぞれの反対方向を−Ｘ方向、−Ｙ方向及び−Ｚ方向とする。すなわち、＋Ｘ方向は本発明の第１方向に相当し、−Ｚ方向は本発明の第２方向に相当し、−Ｙ方向は本発明の第３方向に相当する。
【００１５】
なお、頭部装着型表示装置１Ａを装着したユーザーにとって、＋Ｘ方向は、左から右に向かう方向であり、＋Ｙ方向は、下から上に向かう方向であり、＋Ｚ方向は、後から前に向かう方向である。
このため、頭部装着型表示装置１Ａの構成のうち、ユーザーにとっての左側、すなわち、−Ｘ方向に配置される構成の符号に「Ｌ」を付し、ユーザーにとっての右側、すなわち、＋Ｘ方向に位置する構成の符号に「Ｒ」を付す。
【００１６】
［カバー部材の構成］
カバー部材６は、装置本体２Ａの支持部４を構成する装着部材４３に装着されて、装置本体２Ａの表示部３を構成する左側導光部３２Ｌ及び右側導光部３２Ｒを＋Ｚ方向にて覆う部材である。カバー部材６は、＋Ｚ方向から入射される光の透過を抑制する透過抑制特性を有する。カバー部材６が装置本体２Ａに装着されることによって、表示部３によって表示される画像の視認性を高められる。なお、カバー部材６は、所定波長帯の光を透過し、他の波長帯の光を遮蔽する波長選択性や、所定の偏光光を透過し、他の偏光光を遮蔽する偏光選択性等、他の特性を有していてもよい。
カバー部材６は、図３に示すように、装着部材４３に対向する面である対向面６１における−Ｘ方向に設けられる磁石ＭＧＬと、＋Ｘ方向に設けられる磁石ＭＧＲと、を備える。そして、カバー部材６は、磁石ＭＧＬ，ＭＧＲが、装着部材４３の磁石４３５Ｌ，４３５Ｒに引き寄せられることによって、装着部材４３に着脱可能に装着される。
【００１７】
［装置本体の構成］
装置本体２Ａは、単体で頭部装着型表示装置として利用できるものである。すなわち、ユーザーは、カバー部材６を用いない状態でも、装置本体２Ａを頭部に装着することによって、画像を視認することが可能である。
装置本体２Ａは、表示部３、支持部４及びテンプル５ＬＡ，５ＲＡを有する。
【００１８】
［表示部の構成］
表示部３は、所定の視認位置に画像光を出射して、当該画像光により形成される画像を表示する。所定の視認位置は、表示部３を構成する光学系によって形成された射出瞳の位置である。本実施形態では、所定の視認位置は、ユーザーの左眼及び右眼に応じた仮想の位置に設定されており、表示部３は、視認位置の１つであるユーザーの左眼に左眼用画像光を出射して左眼用画像を表示する左側表示部３Ｌと、視認位置の他の１つであるユーザーの右眼に右眼用画像光を出射して右眼用画像を表示する右側表示部３Ｒとを有する。
【００１９】
［左側表示部の構成］
左側表示部３Ｌは、装置本体２Ａにおいて−Ｘ方向に位置する。左側表示部３Ｌは、左眼用画像を形成して出射する画像出射部としての左側出射部３１Ｌと、出射された左眼用画像をユーザーの左眼に導く導光部としての左側導光部３２Ｌと、を有する。
【００２０】
左側出射部３１Ｌは、後述する左側筐体４２ＬＡ内に収容され、外部から入力される画像情報に応じた左眼用画像光を形成及び出射する。左側出射部３１Ｌは、図示を省略するが、制御部、画像形成部及び画像投射部を有する。
制御部は、入力される画像情報に応じた画像信号を画像形成部に出力して、画像情報に応じた左眼用画像光を画像形成部に形成させる。制御部は、回路素子が実装された回路基板である。
画像形成部は、制御部から入力される画像信号に応じた左眼用画像光を形成する。画像形成部は、有機ＥＬ（Electro-Luminescence）パネル等の自己発光型表示パネルによって構成できる他、ＬＥＤ等の光源と、液晶パネルやＭＥＭＳミラー等のマイクロミラーを用いたデバイス等の光変調装置との組合せによって構成できる。
画像投射部は、レンズやプリズムによって構成され、画像形成部によって形成された画像光を左側導光部３２Ｌに投射する。
【００２１】
左側導光部３２Ｌは、支持部４の後述するフレーム４１によって支持され、ユーザーの左眼に応じた位置に配置される。左側導光部３２Ｌは、左側出射部３１Ｌから出射された左眼用画像光を、界面にて内面反射させつつ＋Ｘ方向に導き、ユーザーの左眼の眼球に応じて設けられた半透過層によって左眼に出射する。すなわち、左側表示部３Ｌは、左眼用画像光を左側導光部３２Ｌから第２方向である−Ｚ方向に出射する。左側導光部３２Ｌは、例えば可視光領域で高い透光性を示すシクロオレフィンポリマー等の樹脂により形成されており、ユーザーは、左側導光部３２Ｌを介して外界を観察可能である。
【００２２】
［右側表示部の構成］
右側表示部３Ｒは、装置本体２Ａにおいて＋Ｘ方向に位置する。右側表示部３Ｒは、右眼用画像光を形成して出射する画像出射部としての右側出射部３１Ｒと、出射された右眼用画像光をユーザーの右眼に導く導光部としての右側導光部３２Ｒと、を有する。
【００２３】
右側出射部３１Ｒは、後述する右側筐体４２ＲＡ内に収容され、外部から入力される画像情報に応じた右眼用画像を形成及び出射する。右側出射部３１Ｒは、左側出射部３１Ｌと同様に、制御部、画像形成部及び画像投射部を有する。
右側導光部３２Ｒは、フレーム４１によって支持され、ユーザーの右眼に応じた位置に配置される。右側導光部３２Ｒは、右側出射部３１Ｒから出射された右眼用画像光を、界面にて内面反射させつつ−Ｘ方向に導き、ユーザーの右眼の眼球に応じて設けられた半透過層によって右眼に出射する。すなわち、右側表示部３Ｒは、右眼用画像を形成する右眼用画像光を右側導光部３２Ｒから第２方向である−Ｚ方向に出射する。右側導光部３２Ｒは、例えば左側導光部３２Ｌと同様の透光性を有する材料によって構成されており、ユーザーは、右側導光部３２Ｒを介して外界を観察可能である。
このように、装置本体２Ａは、ユーザーが画像と外界とを同時に観察可能なシースルー型の頭部装着型表示装置である。
【００２４】
［支持部の構成］
図６及び図７は、正面側上方及び背面側下方から見た装置本体２Ａを示す分解斜視図である。
支持部４は、表示部３を支持するとともに、テンプル５ＬＡ，５ＲＡを回動可能に支持する。支持部４は、図６及び図７に示すように、＋Ｘ方向に延出するフレーム４１と、それぞれフレーム４１に取り付けられる左側筐体４２ＬＡ及び右側筐体４２ＲＡと、装着部材４３と、を有する。
【００２５】
［フレームの構成］
フレーム４１は、＋Ｙ方向から見て略Ｕ字状の金属製部材であり、一端が−Ｘ方向に位置し、他端が＋Ｘ方向に位置する。フレーム４１は、左側導光部３２Ｌ及び右側導光部３２Ｒに対して＋Ｙ方向に位置し、左側導光部３２Ｌ及び右側導光部３２Ｒを支持する。
フレーム４１には、図７に示すように、−Ｙ方向の面における＋Ｘ方向の中央に取付部材４１１が取り付けられている。取付部材４１１は、フレーム４１の−Ｙ方向の面との間に左側導光部３２Ｌの一部及び右側導光部３２Ｒの一部を挟むように取り付けられる。取付部材４１１には、ユーザーの鼻に当接するノーズパッドＮＰが着脱可能に取り付けられる。なお、図示を省略するが、ノーズパッドＮＰは、ユーザーの鼻の形状及び大きさに応じて構成でき、頭部装着型表示装置１Ａを使用するユーザー毎に交換可能である。
【００２６】
［装着部材の構成］
ここで、装着部材４３を先に説明する。
装着部材４３は、フレーム４１、左側導光部３２Ｌ及び右側導光部３２Ｒを＋Ｚ方向にて覆う状態で、左側筐体４２ＬＡ及び右側筐体４２ＲＡに固定される。装着部材４３は、支持部４においてカバー部材６が着脱可能に装着される部位である。
装着部材４３は、左側導光部３２Ｌ及び右側導光部３２Ｒに対して＋Ｚ方向に配置される本体部４３１と、本体部４３１からそれぞれ−Ｚ方向に延出する固定部４３６Ｌ，４３６Ｒと、を有する。
【００２７】
本体部４３１は、左側開口部４３２Ｌを形成する左側枠部４３３Ｌと、右側開口部４３２Ｒを形成する右側枠部４３３Ｒと、移動規制部４３４と、を有する。この他、本体部４３１は、図７に示すように、カバー部材６を引き付ける磁石４３５Ｌ，４３５Ｒを有する。
左側枠部４３３Ｌは、図６及び図７に示すように、左側導光部３２Ｌに対する＋Ｚ方向に位置し、＋Ｚ方向から見て、左側導光部３２Ｌから出射される左眼用画像光により形成される左眼用画像の表示領域を囲む。
右側枠部４３３Ｒは、右側導光部３２Ｒに対する＋Ｚ方向に位置し、＋Ｚ方向から見て、右側導光部３２Ｒから出射される右眼用画像光により形成される右眼用画像の表示領域を囲む。
ユーザーが左側導光部３２Ｌ及び右側導光部３２Ｒを介して外界を観察する場合には、ユーザーの視線は、左側開口部４３２Ｌ及び右側開口部４３２Ｒを通過する。
【００２８】
なお、＋Ｚ方向から見て左側枠部４３３Ｌによって囲まれる左側導光部３２Ｌの領域、すなわち、＋Ｚ方向から見て左側開口部４３２Ｌ内には、左眼用画像の表示領域の他、外界光がユーザーの左眼に向かって通過する領域が含まれていてもよい。また、＋Ｚ方向から見て右側枠部４３３Ｒによって囲まれる右側導光部３２Ｒの領域、すなわち、＋Ｚ方向から見て右側開口部４３２Ｒ内には、右眼用画像の表示領域の他、外界光がユーザーの右眼に向かって通過する領域が含まれていてもよい。
このような場合、ユーザーは、左眼用画像及び右眼用画像の少なくとも一方の画像を視認しながら、画像の表示領域の外側にて外界を観察できる。
【００２９】
移動規制部４３４は、本体部４３１の−Ｙ方向の端縁において＋Ｘ方向の中央に設けられている。すなわち、移動規制部４３４は、左側枠部４３３Ｌと右側枠部４３３Ｒとが重なる位置に設けられている。移動規制部４３４は、取付部材４１１と当接可能に配置されて、装着部材４３の移動を規制するとともに、カバー部材６の一部が当接して、カバー部材６の＋Ｙ方向への移動を規制する。
【００３０】
図７に示すように、磁石４３５Ｌは、本体部４３１における−Ｚ方向の面の−Ｘ方向で＋Ｙ方向の隅部に設けられている。磁石４３５Ｒは、本体部４３１における−Ｚ方向の面の＋Ｘ方向で＋Ｙ方向の隅部に設けられている。磁石４３５Ｌ，４３５Ｒは、磁石ＭＧＬ，ＭＧＲを吸着して、カバー部材６を引き寄せる。これにより、カバー部材６は、正面４３１Ａを＋Ｚ方向にて覆うように、装着部材４３に着脱可能に装着される。
【００３１】
図６及び図７に示すように、固定部４３６Ｌは、本体部４３１における−Ｘ方向の端部近傍の位置に設けられている。固定部４３６Ｌは、本体部４３１における＋Ｙ方向の端縁から−Ｚ方向に延出する上側腕部４３６１と、本体部４３１における−Ｙ方向の端縁から−Ｚ方向に延出する下側腕部４３６３と、を備える。上側腕部４３６１は、−Ｙ方向に貫通する貫通孔４３６２を有し、下側腕部４３６３は、＋Ｙ方向に貫通する貫通孔４３６４を有する。
固定部４３６Ｒは、本体部４３１における＋Ｘ方向の端部近傍の位置に設けられている。固定部４３６Ｒは、固定部４３６Ｌと同様に、貫通孔４３６２を有する上側腕部４３６１と、貫通孔４３６４を有する下側腕部４３６３と、を備える。
そして、装着部材４３は、固定部４３６Ｌの上側腕部４３６１及び下側腕部４３６３が左側筐体４２ＬＡの軸支部４２Ｌ２に固定され、固定部４３６Ｒの上側腕部４３６１及び下側腕部４３６３が右側筐体４２ＲＡの軸支部４２Ｒ２に固定されることによって、上記のように固定される。
【００３２】
［左側筐体の構成］
左側筐体４２ＬＡは、合成樹脂製の筐体であり、フレーム４１における−Ｘ方向の端部に取り付けられて、左側出射部３１Ｌを収容する。左側筐体４２ＬＡは、右側筐体４２ＲＡ側である＋Ｘ方向の側面４２Ｌ１に、軸支部４２Ｌ２を有する。
【００３３】
軸支部４２Ｌ２は、側面４２Ｌ１における＋Ｚ方向の端部に設けられ、テンプル５ＬＡを回動可能に支持する他、固定部４３６Ｌが固定される部位である。軸支部４２Ｌ２は、＋Ｙ方向に位置する取付部４２Ｌ３と、−Ｙ方向に位置する取付部４２Ｌ５とを有する。
取付部４２Ｌ３は、固定部４３６Ｌの貫通孔４３６２と、テンプル５ＬＡの後述する貫通孔５Ｌ２１とを−Ｙ方向に沿って挿通する図示しないねじが螺合するねじ孔４２Ｌ４を有する。
取付部４２Ｌ５は、固定部４３６Ｌの貫通孔４３６４と、テンプル５ＬＡの後述する貫通孔５Ｌ３１とを＋Ｙ方向に沿って挿通する図示しないねじが螺合する図示しないねじ孔を有する。
【００３４】
［右側筐体の構成］
右側筐体４２ＲＡは、合成樹脂製の筐体であり、フレーム４１における＋Ｘ方向側の端部に取り付けられて、右側出射部３１Ｒを収容する。右側筐体４２ＲＡは、左側筐体４２ＬＡ側である−Ｘ方向の側面４２Ｒ１に、軸支部４２Ｒ２を有する。
【００３５】
軸支部４２Ｒ２は、側面４２Ｒ１における＋Ｚ方向の端部に設けられ、テンプル５ＲＡを回動可能に支持する他、固定部４３６Ｒが固定される部位である。軸支部４２Ｒ２は、軸支部４２Ｌ２と同様に、＋Ｙ方向に位置する取付部４２Ｒ３と、−Ｙ方向に位置する取付部４２Ｒ５とを有する。
取付部４２Ｒ３は、固定部４３６Ｒの貫通孔４３６２と、テンプル５ＲＡの後述する貫通孔５Ｒ２１とを−Ｙ方向に沿って挿通する図示しないねじが螺合するねじ孔４２Ｒ４を有する。
取付部４２Ｒ５は、固定部４３６Ｒの貫通孔４３６４と、テンプル５ＲＡの後述する貫通孔５Ｒ３１とを＋Ｙ方向に沿って挿通する図示しないねじが螺合する図示しないねじ孔を有する。
【００３６】
図８は、左側筐体４２ＬＡ及び右側筐体４２ＲＡを示す正面図である。なお、図８では、フレーム４１、左側導光部３２ＬＡ及び右側導光部３２ＲＡの位置を示すために、これらを点線にて示している。
図８に示すように、軸支部４２Ｌ２と軸支部４２Ｒ２とを結ぶ方向は、＋Ｘ方向と平行な軸と平行である。すなわち、軸支部４２Ｌ２を第１軸支部とし、軸支部４２Ｒ２を第２軸支部としたときに、軸支部４２Ｌ２から軸支部４２Ｒ２に向かう方向は、−Ｘ方向と平行である。
詳述すると、軸支部４２Ｌ２の取付部４２Ｌ３から軸支部４２Ｒ２の取付部４２Ｒ３に向かう方向は、＋Ｘ方向と平行であり、軸支部４２Ｌ２の取付部４２Ｌ５から軸支部４２Ｒ２の取付部４２Ｒ５に向かう方向は、＋Ｘ方向と平行である。換言すると、取付部４２Ｌ３，４２Ｒ３を結ぶ仮想線ＶＬ１は、＋Ｘ方向と平行であり、取付部４２Ｌ５，４２Ｒ５を結ぶ仮想線ＶＬ２は、＋Ｘ方向と平行である。
なお、詳しくは後述するが、軸支部４２Ｌ２に支持されたテンプル５ＬＡの回動軸ＲＬＡと、軸支部４２Ｒ２に支持されたテンプル５ＲＡの回動軸ＲＲＡは、それぞれ＋Ｙ方向と完全に平行ではなく、また、互いに平行ではない。回動軸ＲＬＡ，ＲＲＡについては、後に詳述する。
【００３７】
［テンプルの構成］
テンプル５ＬＡは、図６〜図８に示したように、軸支部４２Ｌ２に回動可能に支持され、テンプル５ＲＡは、軸支部４２Ｒ２に回動可能に支持される。テンプル５ＬＡ，５ＲＡは、装置本体２Ａをユーザーが頭部に装着するときに−Ｚ方向に沿うように伸長されて、ユーザーの左耳及び右耳に懸架される。
なお、軸支部４２Ｌ２，４２Ｒ２からのそれぞれの延出方向が−Ｚ方向に沿うようにテンプル５ＬＡ，５ＲＡが伸長された状態を伸長状態とする。また、軸支部４２Ｌ２，４２Ｒ２からのそれぞれの延出方向が＋Ｘ方向及び−Ｘ方向に沿うようにテンプル５ＬＡ，５ＲＡが軸支部４２Ｌ２，４２Ｒ２にて折り曲げられた状態を折曲状態とする。
以下のテンプル５ＬＡ，５ＲＡの説明における各方向は、テンプル５ＬＡ，５ＲＡが伸長状態であるときの各方向である。
【００３８】
［左側のテンプルの構成］
図９は、−Ｚ方向に延出するテンプル５ＬＡを＋Ｘ方向及び＋Ｙ方向から見た斜視図であり、図１０は、−Ｚ方向に延出するテンプル５ＬＡを−Ｘ方向及び−Ｙ方向から見た斜視図である。
テンプル５ＬＡは、左側筐体４２ＬＡ内に設けられる左側出射部３１Ｌに対して＋Ｘ方向に位置する。換言すると、テンプル５ＬＡは、左側出射部３１Ｌに対して＋Ｘ方向における頭部装着型表示装置１Ａの中心側に位置する。テンプル５ＬＡは、上記伸長状態と上記折曲状態との間の回動範囲において回動可能である。
テンプル５ＬＡは、図９及び図１０に示すように、延出部５Ｌ１及びモダン５Ｌ６を有し、ユーザーの左側頭部に応じた形状に形成されている。
【００３９】
延出部５Ｌ１は、テンプル５ＬＡにおいて軸支部４２Ｌ２による支持位置からユーザーの左耳に応じた位置までの部位である。延出部５Ｌ１は、＋Ｚ方向の端部から−Ｚ方向に向かうに従って−Ｘ方向に湾曲した後、−Ｚ方向に向かうに従って＋Ｘ方向に湾曲する円弧状に形成されている。
延出部５Ｌ１は、接続部５Ｌ２，５Ｌ３、配置部５Ｌ４及び凹部５Ｌ５を有する。
【００４０】
接続部５Ｌ２，５Ｌ３は、延出部５Ｌ１における＋Ｚ方向の端部から＋Ｚ方向に片状に突設されており、軸支部４２Ｌ２による支持位置である。接続部５Ｌ２は、＋Ｙ方向に位置し、接続部５Ｌ３は、−Ｙ方向に位置している。
接続部５Ｌ２は、取付部４２Ｌ３と固定部４３６Ｌの上側腕部４３６１との間に配置される。接続部５Ｌ２は、当該上側腕部４３６１の貫通孔４３６２を挿通した図示しないねじが挿通する貫通孔５Ｌ２１を有し、貫通孔５Ｌ２１を挿通したねじは、ねじ孔４２Ｌ４に螺合される。
接続部５Ｌ３は、取付部４２Ｌ５と固定部４３６Ｌの下側腕部４３６３との間に配置される。接続部５Ｌ３は、当該下側腕部４３６３の貫通孔４３６４を挿通した図示しないねじが挿通する貫通孔５Ｌ３１を有し、貫通孔５Ｌ３１を挿通したねじは、ねじ孔４２Ｌ６に螺合される。
これにより、テンプル５ＬＡは、軸支部４２Ｌ２に回動可能に支持される。
【００４１】
配置部５Ｌ４は、延出部５Ｌ１における＋Ｘ方向の側面５Ｌ１１に位置し、−Ｘ方向に凹んだ凹状部である。配置部５Ｌ４は、眼鏡を掛けたユーザーの頭部に頭部装着型表示装置１Ａが装着される場合に、当該眼鏡のテンプル（つる部）が配置される部位である。
凹部５Ｌ５は、延出部５Ｌ１における−Ｘ方向の側面５Ｌ１２に設けられ、＋Ｘ方向に凹んだ凹状部である。凹部５Ｌ５は、テンプル５ＬＡが伸長状態である場合に、左側筐体４２ＬＡの一部が配置される部位である。換言すると、凹部５Ｌ５は、左側筐体４２ＬＡの一部を避ける部位である。
【００４２】
モダン５Ｌ６は、ユーザーの左耳の後ろの部位に沿って配置される部位であり、頭部装着型表示装置１Ａが頭部からずれることを抑制する。モダン５Ｌ６は、延出部５Ｌ１において軸支部４２Ｌ２とは反対側、すなわち、接続部５Ｌ２，５Ｌ３とは反対側の部位に延出部５Ｌ１と連続して形成されている。モダン５Ｌ６は、−Ｚ方向に向かうに従って＋Ｘ方向及び−Ｙ方向に湾曲して延出している。すなわち、モダン５Ｌ６の先端部５Ｌ６１は、延出部５Ｌ１における＋Ｙ方向の端縁より第３方向である−Ｙ方向に位置している。
【００４３】
［右側のテンプルの構成］
テンプル５ＲＡは、図６及び図７に示すように、右側筐体４２ＲＡ内に設けられる右側出射部３１Ｒに対して−Ｘ方向に位置する。換言すると、テンプル５ＲＡは、右側出射部３１Ｒに対して＋Ｘ方向における頭部装着型表示装置１Ａの中心側に位置する。テンプル５ＲＡは、軸支部４２Ｌ２を中心として、伸長状態と折曲状態との間の回動範囲において回動可能である。
テンプル５ＲＡは、テンプル５ＬＡに対する鏡面対象構造を有する。具体的に、テンプル５ＲＡは、延出部５Ｒ１及びモダン５Ｒ６を有し、ユーザーの右側頭部に応じた形状に形成されている。
【００４４】
延出部５Ｒ１は、テンプル５ＲＡにおいて軸支部４２Ｒ２による支持位置からユーザーの左耳に応じた位置までの部位である。延出部５Ｒ１は、＋Ｚ方向の端部から−Ｚ方向に向かうに従って＋Ｘ方向に湾曲した後、−Ｚ方向に向かうに従って−Ｘ方向に湾曲する円弧状に形成されている。延出部５Ｒ１は、接続部５Ｌ２，５Ｌ３、配置部５Ｌ４及び凹部５Ｌ５と同様の接続部５Ｒ２，５Ｒ３、配置部５Ｒ４及び凹部５Ｒ５を有する。また、接続部５Ｒ２は、貫通孔５Ｒ２１を有し、接続部５Ｒ３は、貫通孔５Ｒ３１を有する。そして、接続部５Ｒ２，５Ｒ３は、延出部５Ｒ１における＋Ｚ方向の端部に設けられ、配置部５Ｒ４は、延出部５Ｒ１における−Ｘ方向の側面５Ｒ１１に設けられ、凹部５Ｒ５は、延出部５Ｒ１において＋Ｘ方向の側面５Ｒ１２に設けられている。
【００４５】
モダン５Ｒ６は、ユーザーの右耳の後ろの部位に沿って配置される部位であり、モダン５Ｌ６とともに頭部を挟持して、頭部装着型表示装置１Ａが頭部からずれることを抑制する。モダン５Ｒ６は、延出部５Ｒ１において軸支部４２Ｒ２とは反対側、すなわち、接続部５Ｒ２，５Ｒ３とは反対側の部位に延出部５Ｒ１と連続して形成され、−Ｚ方向に向かうに従って−Ｘ方向及び−Ｙ方向に湾曲して延出している。すなわち、モダン５Ｒ６の先端部５Ｒ６１は、延出部５Ｒ１における＋Ｙ方向の端縁より第３方向である−Ｙ方向に位置している。
【００４６】
［テンプルの回動軸の傾斜］
図１１は、左側筐体４２ＬＡ及び伸長状態のテンプル５ＬＡを＋Ｘ方向から見た側面図である。
ここで、テンプル５ＬＡの回動軸ＲＬＡについて説明する。
軸支部４２Ｌ２に支持されたテンプル５ＬＡを＋Ｘ方向から見た場合、テンプル５ＬＡの回動軸ＲＬＡは、図１１に示すように、＋Ｙ方向と平行である。
【００４７】
図１２は、左側筐体４２ＬＡ及び伸長状態のテンプル５ＬＡを＋Ｚ方向から見た正面図である。
一方、テンプル５ＬＡを＋Ｚ方向から見た場合、回動軸ＲＬＡは、図１２に示すように、＋Ｙ方向に対して傾斜している。テンプル５ＬＡを−Ｚ方向から見た場合も同様である。詳述すると、＋Ｚ方向又は−Ｚ方向から見た場合、回動軸ＲＬＡは、＋Ｙ方向に向かうに従って−Ｘ方向に傾斜し、第３方向である−Ｙ方向に向かうに従って第１方向である＋Ｘ方向に傾斜している。
本実施形態では、＋Ｚ方向又は−Ｚ方向から見た場合、回動軸ＲＬＡと＋Ｙ方向に平行な仮想線ＶＬｙとの交差角αは、略３°である。
【００４８】
また、図示を省略するが、軸支部４２Ｒ２に支持されたテンプル５ＲＡを−Ｘ方向から見た場合、テンプル５ＲＡの回動軸ＲＲＡは＋Ｙ方向と平行である。
一方、＋Ｚ方向から見た場合、回動軸ＲＲＡは、＋Ｙ方向に向かうに従って＋Ｘ方向に傾斜し、第３方向である−Ｙ方向に向かうに従って第１方向とは反対方向である−Ｘ方向に傾斜している。
なお、回動軸ＲＲＡも、＋Ｚ方向又は−Ｚ方向から見た場合、仮想線ＶＬｙに対して略３°傾斜している。
【００４９】
［折曲状態でのテンプルの位置］
図１３は、テンプル５ＬＡを折曲状態にした頭部装着型表示装置１Ａを＋Ｙ方向から見た平面図である。
テンプル５ＬＡは、図１３に示すように、回動軸ＲＬＡを中心として、モダン５Ｌ６がテンプル５ＲＡに近接する＋ＤＬ方向と、テンプル５ＲＡから離間する−ＤＬ方向とに回動可能である。換言すると、テンプル５ＬＡは、回動軸ＲＬＡを中心として、モダン５Ｌ６が右側導光部３２Ｒに近接する＋ＤＬ方向と、右側導光部３２Ｒから離間する−ＤＬ方向とに回動可能である。
同様に、テンプル５ＲＡは、回動軸ＲＲＡを中心として、モダン５Ｒ６がテンプル５ＬＡに近接する＋ＤＲ方向と、テンプル５ＬＡから離間する−ＤＲ方向とに回動可能である。換言すると、テンプル５ＲＡは、回動軸ＲＲＡを中心として、モダン５Ｒ６が左側導光部３２Ｌに近接する＋ＤＲ方向と、左側導光部３２Ｌから離間する−ＤＲ方向とに回動可能である。
【００５０】
図１４は、頭部装着型表示装置１Ａを−Ｚ方向から見た背面図である。なお、図１４では、テンプル５ＬＡ，５ＲＡの配置状態が伸長状態である場合と折曲状態である場合とを比較しやすいように、テンプル５ＬＡを折曲状態とし、テンプル５ＲＡを伸長状態としている。
頭部装着型表示装置１Ａの頭部への装着時のテンプル５ＬＡ，５ＲＡの配置状態、すなわち、テンプル５ＬＡ，５ＲＡが伸長状態であるときの頭部装着型表示装置１Ａの＋Ｙ方向における寸法は、図１４に示すように、寸法Ｌ１である。
ここで、頭部装着型表示装置１Ａと同様の構成を有するものの、テンプルの回動軸が±Ｘ方向及び±Ｚ方向から見て＋Ｙ方向と平行な第１比較例の頭部装着型表示装置では、モダンの＋Ｙ方向における位置は、テンプルが伸長状態であっても折曲状態であっても同じある。このため、寸法Ｌ１は、左右のテンプルが折曲状態であるときの第１比較例の頭部装着型表示装置を−Ｚ方向から見た場合の第１比較例の頭部装着型表示装置の＋Ｙ方向における寸法と同じである。
【００５１】
これに対し、図１４に示すように、それぞれ−Ｚ方向から見て、回動軸ＲＬＡは、第３方向である−Ｙ方向に向かうに従って第１方向である＋Ｘ方向に傾斜しており、回動軸ＲＲＡは、第３方向である−Ｙ方向に向かうに従って第１方向とは反対方向である−Ｘ方向に傾斜している。すなわち、それぞれ−Ｚ方向から見て、回動軸ＲＬＡは、−Ｙ方向に向かうに従ってテンプル５ＲＡ及び軸支部４２Ｒ２に近接する方向に傾斜し、回動軸ＲＲＡは、−Ｙ方向に向かうに従ってテンプル５ＬＡ及び軸支部４２Ｌ２に近接する方向に傾斜している。換言すると、それぞれ−Ｚ方向から見て、回動軸ＲＬＡ，ＲＲＡは、−Ｙ方向に向かうに従って、＋Ｙ方向と平行で頭部装着型表示装置１Ａの＋Ｘ方向における中心を通る中心線ＣＴに近接する方向に傾斜している。更に換言すると、それぞれ−Ｚ方向から見て、回動軸ＲＬＡ，ＲＲＡは、−Ｙ方向に向かうに従って互いに近接する方向に傾斜している。
【００５２】
このため、テンプル５ＬＡを＋ＤＬ方向に回動させ、テンプル５ＬＡを折曲状態としたとき、＋Ｘ方向に延出する延出部５Ｌ１は、＋Ｘ方向に向かうに従って、延出部５Ｌ１に対してモダン５Ｌ６の先端部５Ｌ６１が位置する方向である−Ｙ方向とは反対方向である＋Ｙ方向に傾斜するように、軸支部４２Ｌ２から延出する。また、図示を省略するが、テンプル５ＲＡを＋ＤＲ方向に回動させて折曲状態としたとき、−Ｘ方向に延出する延出部５Ｒ１は、−Ｘ方向に向かうに従って、延出部５Ｒ１に対してモダン５Ｒ６の先端部５Ｒ６１が位置する方向である−Ｙ方向とは反対方向である＋Ｙ方向に傾斜するように、軸支部４２Ｒ２から延出する。
このため、各テンプル５ＬＡ，５ＲＡを折曲状態としたときの頭部装着型表示装置１Ａを第２方向である−Ｚ方向から見た場合、頭部装着型表示装置１Ａの＋Ｙ方向における寸法は、寸法Ｌ１より小さい寸法Ｌ２となる。
このように、テンプル５ＬＡ，５ＲＡの折曲状態での頭部装着型表示装置１Ａの＋Ｙ方向における寸法Ｌ２が、上記寸法Ｌ１より小さいので、頭部装着型表示装置１Ａの収納性を高めることができる。
【００５３】
［第１実施形態の効果］
以上説明した本実施形態に係る頭部装着型表示装置１Ａによれば、以下の効果を奏することができる。
ユーザーの頭部に装着されて、ユーザーによって視認可能に画像を表示する頭部装着型表示装置１Ａは、画像光を出射して画像光によって形成される画像を表示する表示部３と、表示部３を支持する支持部４と、第１テンプル及び第２テンプルに相当し、支持部４の左側筐体４２ＬＡに回動可能に設けられるテンプル５ＬＡ，５ＲＡと、を備える。支持部４の左側筐体４２ＬＡは、回動軸ＲＬＡを中心としてテンプル５ＬＡを回動可能に支持する軸支部４２Ｌ２を有し、支持部４の右側筐体４２ＲＡは、回動軸ＲＲＡを中心としてテンプル５ＲＡを回動可能に支持する軸支部４２Ｒ２を有する。なお、回動軸ＲＬＡ，ＲＲＡは、第１回動軸及び第２回動軸に相当し、軸支部４２Ｌ２，４２Ｒ２は、第１軸支部及び第２軸支部に相当する。
テンプル５ＬＡは、軸支部４２Ｌ２と接続部５Ｌ２，５Ｌ３にて接続される延出部５Ｌ１と、延出部５Ｌ１における軸支部４２Ｌ２とは反対側の部位に設けられたモダン５Ｌ６と、を有する。テンプル５ＲＡは、軸支部４２Ｒ２と接続部５Ｒ２，５Ｒ３にて接続される延出部５Ｒ１と、延出部５Ｒ１における軸支部４２Ｒ２とは反対側の部位に設けられたモダン５Ｒ６と、を有する。延出部５Ｌ１，５Ｒ１は、第１延出部及び第２延出部に相当し、モダン５Ｌ６，５Ｒ６は、第１モダン及び第２モダンに相当する。
ここで、＋Ｘ方向は、軸支部４２Ｌ２から軸支部４２Ｒ２に向かう第１方向である。また、−Ｚ方向は、＋Ｘ方向に交差して、テンプル５ＬＡが伸長された伸長状態で軸支部４２Ｌ２から延出部５Ｌ１が延出する第２方向である。更に、−Ｙ方向は、＋Ｘ方向及び−Ｚ方向のそれぞれに交差し、例えばテンプル５ＬＡが＋Ｘ方向に沿うように軸支部４２Ｌ２にて折り曲げられた折曲状態で、延出部５Ｌ１に対してモダン５Ｌ６の先端部が位置する第３方向である。そして、折曲状態のテンプル５ＬＡを−Ｚ方向から見た場合、図１４に示したように、延出部５Ｌ１は、＋Ｘ方向に向かうに従って第３方向とは反対方向である＋Ｙ方向に傾斜するように軸支部４２Ｌ２から延出している。また、折曲状態のテンプル５ＲＡを−Ｚ方向から見た場合、図１４に示したように、延出部５Ｒ１は、−Ｘ方向に向かうに従って＋Ｙ方向に傾斜するように軸支部４２Ｒ２から延出している。
これによれば、上記した第１比較例の頭部装着型表示装置に比べて、テンプル５ＬＡ，５ＲＡが折曲状態である頭部装着型表示装置１Ａを−Ｚ方向から見て、頭部装着型表示装置１Ａの＋Ｙ方向における寸法、すなわち、上下寸法を小さくできる。従って、頭部装着型表示装置１Ａの収納性を高めることができる。
【００５４】
テンプル５ＬＡの回動軸ＲＬＡ及びテンプル５ＲＡの回動軸ＲＲＡは、−Ｚ方向から見て、−Ｙ方向に向かうに従って、−Ｙ方向と平行で＋Ｘ方向における頭部装着型表示装置１Ａの中心を通る中心線ＣＴに近接する方向に傾斜している。
これによれば、テンプル５ＬＡを折曲状態としたときに、テンプル５ＬＡの延出部５Ｌ１を軸支部４２Ｌ２から＋Ｘ方向に向かうに従って＋Ｙ方向に傾斜するように延出させることができる。また、テンプル５ＲＡを折曲状態としたときに、テンプル５ＲＡの延出部５Ｒ１を軸支部４２Ｒ２から−Ｘ方向に向かうに従って＋Ｙ方向に傾斜するように延出させることができる。このため、上記した第１比較例の頭部装着型表示装置に比べて、テンプル５ＬＡ，５ＲＡが折曲状態にあるときの頭部装着型表示装置１Ａを−Ｚ方向から見た場合の頭部装着型表示装置１Ａの＋Ｙ方向における寸法を小さくできる。従って、頭部装着型表示装置１Ａの収納性を高めることができる。
【００５５】
表示部３は、左側表示部３Ｌ及び右側表示部３Ｒを備える。左側表示部３Ｌは、左眼用画像光を出射する画像出射部としての左側出射部３１Ｌと、左側出射部３１Ｌから出射された左眼用画像光を所定の視認位置に導く導光部としての左側導光部３２Ｌと、を備える。右側表示部３Ｒは、右眼用画像光を出射する画像出射部としての右側出射部３１Ｒと、右側出射部３１Ｒから出射された右眼用画像光を所定の視認位置に導く導光部としての右側導光部３２Ｒと、を備える。なお、本実施形態では、左側導光部３２Ｌが左眼用画像光を導く視認位置は、ユーザーの左眼に応じた位置であり、右側導光部３２Ｒが右眼用画像光を導く視認位置は、ユーザーの右眼に応じた位置である。そして、テンプル５ＬＡは、左側出射部３１Ｌより＋Ｘ方向における頭部装着型表示装置１Ａの中心側に位置し、テンプル５ＲＡは、右側出射部３１Ｒより＋Ｘ方向における頭部装着型表示装置１Ａの中心側に位置している。
これによれば、左側出射部３１Ｌ及び右側出射部３１Ｒより、テンプル５ＬＡ，５ＲＡをユーザーの頭部に近接する位置に配置でき、テンプル５ＬＡ，５ＲＡによってユーザーの頭部を好適に保持できる。従って、頭部装着型表示装置１Ａの装着感を高めることができる。
【００５６】
［第２実施形態］
次に、本発明の第２実施形態について説明する。
本実施形態に係る頭部装着型表示装置は、第１実施形態にて示した頭部装着型表示装置１Ａと同様の構成及び機能を有する。ここで、頭部装着型表示装置１Ａでは、テンプル５ＬＡ，５ＲＡの回動軸ＲＬＡ，ＲＲＡは、−Ｙ方向に向かうに従って＋Ｘ方向及び−Ｘ方向に傾斜していた。これに対し、本実施形態に係る頭部装着型表示装置では、各テンプルの回動軸は、−Ｙ方向に向かうに従って＋Ｚ方向に傾斜している。この点で、本実施形態に係る頭部装着型表示装置と頭部装着型表示装置１Ａとは相違する。なお、以下の説明では、既に説明した部分と同一又は略同一である部分については、同一の符号を付して説明を省略する。
【００５７】
［頭部装着型表示装置の概略構成］
図１５は、本実施形態に係る頭部装着型表示装置１Ｂを＋Ｙ方向から見た平面図である。なお、図１５では、ノーズパッドＮＰの図示を省略している。
本実施形態に係る頭部装着型表示装置１Ｂは、図１５に示すように、装置本体２Ａに代えて装置本体２Ｂを有する他は、頭部装着型表示装置１Ａと同様の構成及び機能を有する。装置本体２Ｂは、左側筐体４２ＬＡ及び右側筐体４２ＲＡに代えて左側筐体４２ＬＢ及び右側筐体４２ＲＢを有し、テンプル５ＬＡ，５ＲＡに代えてテンプル５ＬＢ，５ＲＢを有する他は、装置本体２Ａと同様の構成及び機能を有する。
【００５８】
左側筐体４２ＬＢ及び右側筐体４２ＲＢは、左側筐体４２ＬＡ及び右側筐体４２ＲＡに代えて支持部４を構成する。すなわち、装置本体２Ｂの支持部４は、フレーム４１、左側筐体４２ＬＢ、右側筐体４２ＲＢ及び装着部材４３を有する。
左側筐体４２ＬＢ及び右側筐体４２ＲＢは、左側筐体４２ＬＡ及び右側筐体４２ＲＡと同様に、フレーム４１における−Ｘ方向及び＋Ｘ方向の端部に取り付けられる。左側筐体４２ＬＢは、左側出射部３１Ｌを内部に収容し、右側筐体４２ＲＢは、右側出射部３１Ｒを内部に収容する。
【００５９】
図１６は、左側筐体４２ＬＢ及び伸長状態のテンプル５ＬＢを＋Ｚ方向から見た正面図である。図１７は、左側筐体４２ＬＢ及び伸長状態のテンプル５ＬＢを＋Ｘ方向から見た側面図である。
左側筐体４２ＬＢは、左側筐体４２ＬＡと同様の構成を有する。すなわち、左側筐体４２ＬＢは、図１６及び図１７に示すように、＋Ｘ方向の側面４２Ｌ１における＋Ｚ方向の端部に位置する軸支部４２Ｌ２を有する。
軸支部４２Ｌ２は、＋Ｙ方向に位置し、ねじ孔４２Ｌ４を有する取付部４２Ｌ３と、−Ｙ方向に位置し、ねじ孔４２Ｌ６を有する取付部４２Ｌ５と、を備える。
右側筐体４２ＲＢは、右側筐体４２ＲＡと同様の構成を有する。すなわち、右側筐体４２ＲＢは、図１５に示すように、−Ｘ方向の側面４２Ｒ１における＋Ｚ方向の端部に位置する軸支部４２Ｒ２を有する。
【００６０】
［テンプルの回動軸及び回動軸の傾斜］
−Ｘ方向に位置するテンプル５ＬＢは、テンプル５ＬＡと同様の構成を有し、テンプル５ＬＡと同様に、左側出射部３１Ｌに対して＋Ｘ方向における頭部装着型表示装置１Ｂの中心側に位置する。すなわち、テンプル５ＬＢは、接続部５Ｌ２，５Ｌ３、配置部５Ｌ４及び凹部５Ｌ５を有する延出部５Ｌ１と、モダン５Ｌ６と、を備える。
ここで、軸支部４２Ｌ２にて接続部５Ｌ２，５Ｌ３が支持されたテンプル５ＬＢの回動軸ＲＬＢは、図１６に示すように、＋Ｚ方向から見て＋Ｙ方向と平行であり、同様に、−Ｚ方向から見て＋Ｙ方向と平行である。
一方、回動軸ＲＬＢは、図１７に示すように、＋Ｘ方向から見て＋Ｙ方向に対して傾斜しており、同様に、−Ｘ方向から見て＋Ｙ方向に対して傾斜している。詳述すると、回動軸ＲＬＢは、＋Ｙ方向に向かうに従って−Ｚ方向に傾斜し、第３方向である−Ｙ方向に向かうに従って第１方向とは反対方向である＋Ｚ方向に傾斜している。本実施形態では、＋Ｘ方向又は−Ｘ方向から見た場合、回動軸ＲＬＢと＋Ｙ方向に平行な仮想線ＶＬｙとの交差角βは、略３°である。
【００６１】
＋Ｘ方向に位置するテンプル５ＲＢも、図１５に示したように、テンプル５ＲＡと同様の延出部５Ｒ１及びモダン５Ｌ６を備え、テンプル５ＲＡと同様に、右側出射部３１Ｒに対して＋Ｘ方向における頭部装着型表示装置１Ｂの中心側に位置する。そして、軸支部４２Ｒ２に回動可能に支持されたテンプル５ＲＢの回動軸ＲＲＢは、図示を省略するが、回動軸ＲＬＢと同様に、＋Ｚ方向又は−Ｚ方向から見た場合には＋Ｙ方向と平行であるものの、＋Ｘ方向又は−Ｘ方向から見た場合には＋Ｙ方向に対して傾斜している。詳述すると、回動軸ＲＲＢは、回動軸ＲＬＢと同様に、＋Ｙ方向に向かうに従って−Ｚ方向に傾斜し、第３方向である−Ｙ方向に向かうに従って第１方向とは反対方向である＋Ｚ方向に傾斜している。なお、回動軸ＲＲＢも、＋Ｚ方向又は−Ｚ方向から見た場合、仮想線ＶＬｙに対して略３°傾斜している。
【００６２】
図１８は、頭部装着型表示装置１Ｂを−Ｚ方向から見た背面図である。なお、図１８では、テンプル５ＬＢ，５ＲＢの配置状態が伸長状態である場合と折曲状態である場合とを比較しやすいように、テンプル５ＬＢを折曲状態とし、テンプル５ＲＢを伸長状態としている。また、図１８では、ノーズパッドＮＰの図示を省略している。
テンプル５ＬＢ，５ＲＢが伸長状態であるときの頭部装着型表示装置１Ｂの＋Ｙ方向における寸法は、図１８に示すように、寸法Ｌ３である。
寸法Ｌ３は、頭部装着型表示装置１Ｂと同様の構成を有するものの、テンプルの回動軸が±Ｘ方向又は±Ｚ方向から見て＋Ｙ方向と平行な第２比較例の頭部装着型表示装置を−Ｚ方向から見た場合において、左右のテンプルが折曲状態であるときの第２比較例の頭部装着型表示装置の＋Ｙ方向における寸法と同じである。
【００６３】
これに対し、テンプル５ＬＢを＋ＤＬ方向に回動させて折曲状態としたとき、テンプル５ＬＢの延出部５Ｌ１は、テンプル５ＬＡと同様に、第１方向である＋Ｘ方向に向かうに従って、延出部５Ｌ１に対してモダン５Ｌ６の先端部５Ｌ６１が位置する方向である−Ｙ方向とは反対方向である＋Ｙ方向に傾斜するように、軸支部４２Ｌ２から延出する。また、図示を省略するが、テンプル５ＲＢを＋ＤＲ方向に回動させて折曲状態としたとき、テンプル５ＲＢの延出部５Ｒ１は、第１方向とは反対方向である−Ｘ方向に向かうに従って、テンプル５ＲＡと同様に、延出部５Ｒ１に対してモダン５Ｒ６の先端部５Ｒ６１が位置する方向とは反対方向である＋Ｙ方向に傾斜するように、軸支部４２Ｒ２から延出する。
このため、各テンプル５ＬＢ，５ＲＢを折曲状態としたときの頭部装着型表示装置１Ｂを−Ｚ方向から見た場合の頭部装着型表示装置１Ｂの＋Ｙ方向における寸法は、寸法Ｌ３より小さい寸法Ｌ４となる。
このように、テンプル５ＬＢ，５ＲＢの折曲状態での頭部装着型表示装置１Ｂの＋Ｙ方向における寸法Ｌ４が、上記寸法Ｌ３より小さいので、頭部装着型表示装置１Ｂの収納性を高めることができる。
【００６４】
［第２実施形態の効果］
以上説明した本実施形態に係る頭部装着型表示装置１Ｂによれば、第１実施形態にて示した頭部装着型表示装置１Ａと同様の効果を奏することができる他、以下の効果を奏することができる。
テンプル５ＬＢの回動軸ＲＬＢは、第３方向である−Ｙ方向に向かうに従って、伸長状態でのテンプル５ＬＢの軸支部４２Ｌ２からの伸長方向である第２方向とは反対方向である＋Ｚ方向に傾斜している。同様に、テンプル５ＲＢの回動軸ＲＲＢは、−Ｙ方向に向かうに従って、伸長状態でのテンプル５ＲＢの軸支部４２Ｒ２からの伸長方向とは反対方向である＋Ｚ方向に傾斜している。
これによれば、頭部装着型表示装置１Ａでの場合と同様に、折曲状態のテンプル５ＬＢの延出部５Ｌ１を、第１方向である＋Ｘ方向に向かうに従って第３方向とは反対方向である＋Ｙ方向に傾斜するように、軸支部４２Ｌ２から延出させることができる。また、折曲状態のテンプル５ＲＢの延出部５Ｒ１を、第１方向とは反対方向である−Ｘ方向に向かうに従って第３方向とは反対方向である＋Ｙ方向に傾斜するように、軸支部４２Ｒ２から延出させることができる。このため、上記した第２比較例の頭部装着型表示装置に比べて、テンプル５ＬＢ，５ＲＢが折曲状態にあるときの頭部装着型表示装置１Ｂを−Ｚ方向から見た場合の頭部装着型表示装置１Ｂの＋Ｙ方向における寸法を小さくできる。従って、頭部装着型表示装置１Ｂの収納性を高めることができる。
【００６５】
［実施形態の変形］
本発明は、上記各実施形態に限定されるものではなく、本発明の目的を達成できる範囲での変形、改良等は本発明に含まれるものである。
上記各実施形態では、テンプル５ＬＡ，５ＬＢは、左側筐体４２ＬＡ，４２ＬＢにおいて右側筐体４２ＲＡ，４２ＲＢ側の側面４２Ｌ１の正面側に設けられた軸支部４２Ｌ２によって回動可能に支持されるとした。また、テンプル５ＬＢ，５ＲＢは、右側筐体４２ＲＡ，４２ＲＢにおいて左側筐体４２ＬＡ，４２ＬＢ側の側面４２Ｒ１における正面側に設けられた軸支部４２Ｒ２によって回動可能に支持されるとした。換言すると、テンプル５ＬＡ，５ＬＢ及びテンプル５ＲＡ，５ＲＢは、左側出射部３１Ｌ及び右側出射部３１Ｒより頭部装着型表示装置１Ａ，１Ｂの＋Ｘ方向における中央寄りの位置に設けられた軸支部４２Ｌ２，４２Ｒ２によって回動可能に支持されるとした。しかしながら、これに限らず、支持部４においてテンプル５ＬＡ，５ＬＢ，５ＲＡ，５ＲＢを支持する軸支部４２Ｌ２，４２Ｒ２の位置は、上記に限定されない。
【００６６】
図１９は、頭部装着型表示装置１Ａ，１Ｂの変形である頭部装着型表示装置１Ｃを正面側上方から見た斜視図である。
例えば、図１９に示す頭部装着型表示装置１Ｃに本発明を適用してもよい。
頭部装着型表示装置１Ｃは、頭部装着型表示装置１Ａ，１Ｂと同様に、装置本体２Ｃと図示しないカバー部材とを備える。装置本体２Ｃは、左側表示部３Ｌ及び右側表示部３Ｒを有する表示部３と、フレーム４１、左側筐体４２ＬＣ及び右側筐体４２ＲＣを有する支持部４Ｃと、テンプル５ＬＣ，５ＲＣと、を備える。
【００６７】
左側筐体４２ＬＣは、左側表示部３Ｌを構成する左側出射部３１Ｌを内部に収容する。左側筐体４２ＬＣは、−Ｚ方向の端部にテンプル５ＬＣを回動可能に支持する軸支部４２ＬＣ１を有する。同様に、右側筐体４２ＲＣは、右側表示部３Ｒを構成する右側出射部３１Ｒを内部に収容する。右側筐体４２ＲＣは、−Ｚ方向の端部にテンプル５ＲＣを回動可能に支持する軸支部４２ＲＣ１を有する。
【００６８】
テンプル５ＬＣは、テンプル５ＬＡ，５ＬＢと同様に、ユーザーの左耳に懸架される延出部５ＬＣ１とモダン５ＬＣ２とを有し、テンプル５ＲＣは、テンプル５ＲＡ，５ＲＢと同様に、ユーザーの右耳に懸架される延出部５ＲＣ１とモダン５ＲＣ２とを有する。
このような頭部装着型表示装置１Ｃにおいて、テンプル５ＬＣの回動軸を、回動軸ＲＬＡ，ＲＬＢと同様に、＋Ｙ方向に対して傾斜させてもよく、テンプル５ＲＣの回動軸を、回動軸ＲＲＡ，ＲＲＢと同様に、＋Ｙ方向に対して傾斜させてもよい。
このような頭部装着型表示装置１Ｃによっても、頭部装着型表示装置１Ａ，１Ｂと同様の効果を奏することができる。
【００６９】
なお、頭部装着型表示装置１Ｃのように、−Ｘ方向のテンプルは、必ずしも左側出射部３１Ｌより、＋Ｘ方向における頭部装着型表示装置の中心側に位置しなくてもよく、＋Ｘ方向のテンプルも、必ずしも右側出射部３１Ｒより頭部装着型表示装置１Ｃの中心側に位置しなくてもよい。また、一方のテンプルのみ、対応する画像出射部より頭部装着型表示装置の＋Ｘ方向における中心側に位置してもよい。
【００７０】
上記第１実施形態では、テンプル５ＬＡ，５ＲＡの回動軸ＲＬＡ，ＲＲＡは、±Ｘ方向から見て＋Ｙ方向と平行で、±Ｚ方向から見て−Ｙ方向に向かうに従って中心線ＣＴに近接する方向に傾斜していた。上記第２実施形態では、テンプル５ＬＢ，５ＲＢの回動軸ＲＬＢ，ＲＲＢは、±Ｚ方向から見て＋Ｙ方向と平行で、±Ｘ方向から見て−Ｙ方向に向かうに従って＋Ｚ方向に傾斜していた。しかしながら、これに限らず、折曲状態におけるテンプルの延出部が、支持部におけるテンプルの支持位置から＋Ｙ方向に傾斜するように延出すれば、テンプルの回動軸の向きは適宜変更可能である。
すなわち、折曲状態のテンプルにおけるモダンの先端部の位置が、伸長状態のテンプルにおけるモダンの先端部の位置より＋Ｙ方向に配置され、−Ｚ方向から見て、テンプルが折曲状態にある場合の頭部装着型表示装置の＋Ｙ方向における寸法が、テンプルが伸長状態にある場合の頭部装着型表示装置の＋Ｙ方向における寸法より小さくなれば、各テンプルの回動軸の向きは、適宜変更可能である。
【００７１】
また、回動軸ＲＬＡ，ＲＲＡの傾斜と回動軸ＲＬＢ，ＲＲＢの傾斜とを組み合わせてもよい。すなわち、−Ｘ方向に位置するテンプルの回動軸を、±Ｚ方向から見て−Ｙ方向に向かうに従って＋Ｘ方向に傾斜し、±Ｘ方向から見て−Ｙ方向に向かうに従って＋Ｚ方向に傾斜するように構成してもよい。同様に、＋Ｘ方向に位置するテンプルの回動軸を、±Ｚ方向から見て−Ｙ方向に向かうに従って−Ｘ方向に傾斜し、±Ｘ方向から見て−Ｙ方向に向かうに従って＋Ｚ方向に傾斜するように構成してもよい。
更に、−Ｘ方向に位置するテンプルの回動軸、及び、＋Ｘ方向に位置するテンプルの回動軸のうち、一方の回動軸に対して第１実施形態にて示した回動軸の傾斜を適用し、他方の回動軸に対して第２実施形態にて示した回動軸の傾斜を適用してもよい。
【００７２】
上記各実施形態及び変形では、頭部装着型表示装置１Ａ〜１Ｃは、単体で頭部装着型表示装置として利用可能な装置本体２Ａ〜２Ｃと、装置本体２Ａ〜２Ｃに装着可能なカバー部材６と、を備えるとした。しかしながら、これに限らず、カバー部材は無くてもよい。
【００７３】
上記各実施形態及び変形では、表示部３は、左眼用画像光及び右眼用画像光を形成して出射する画像出射部としての左側出射部３１Ｌ及び右側出射部３１Ｒと、左眼用画像光及び右眼用画像光を所定の視認位置としてのユーザーの左眼及び右眼に導く導光部としての左側導光部３２Ｌ及び右側導光部３２Ｒと、を備えるとした。しかしながら、これに限らず、ユーザーによって視認可能に画像を表示できれば、表示部の構成は、上記に限らない。例えば、表示部は、ユーザーの眼前に配置される画像表示パネルを備える構成としてもよく、ユーザーの網膜に画像を投射する画像投射部を備える構成としてもよい。また、導光部が画像光を導く方向は、＋Ｘ方向又は−Ｘ方向でなくてもよく、＋Ｙ方向又は−Ｙ方向でもよい。
【００７４】
上記各実施形態及び変形では、テンプル５ＬＡとテンプル５ＲＡとは鏡面対称であり、テンプル５ＬＢとテンプル５ＲＢとは鏡面対称であり、テンプル５ＬＣとテンプル５ＲＣとは鏡面対称であるとした。しかしながら、これに限らず、本発明が適用される頭部装着型表示装置において、一方のテンプルと他方のテンプルとは鏡面対称でなくてもよい。すなわち、頭部装着型表示装置が備える一対のテンプルのうち、一方のテンプルの形状と他方のテンプルの形状とは、互いに異なっていてもよい。
【００７５】
上記各実施形態及び変形では、表示部３は、左眼用画像をユーザーの左眼に入射させて表示する左側表示部３Ｌと、右眼用画像をユーザーの右眼に入射させて表示する右側表示部３Ｒとを備える構成とした。しかしながら、これに限らず、左側表示部３Ｌ及び右側表示部３Ｒのうち一方は無くてもよい。
【符号の説明】
【００７６】
１Ａ，１Ｂ，１Ｃ…頭部装着型表示装置、２Ａ，２Ｂ，２Ｃ…装置本体、３…表示部、３Ｌ…左側表示部、３Ｒ…右側表示部、３１Ｌ…左側出射部（画像出射部）、３１Ｒ…右側出射部（画像出射部）、３２Ｌ…左側導光部（導光部）、３２Ｒ…右側導光部（導光部）、４，４Ｃ…支持部、４１…フレーム、４２ＬＡ，４２ＬＢ，４２ＬＣ…左側筐体、４２Ｌ２…軸支部（第１軸支部、第２軸支部）、４２Ｌ３，４２Ｌ５…取付部、４２ＲＡ，４２ＲＢ，４２ＲＣ…右側筐体、４２Ｒ２…軸支部（第１軸支部、第２軸支部）、４２Ｒ３，４２Ｒ５…取付部、４３…装着部材、５ＬＡ，５ＬＢ，５ＬＣ…テンプル（第１テンプル、第２テンプル）、５Ｌ１，５ＬＣ１…延出部、５Ｌ１１，５Ｌ１２…側面、５Ｌ２，５Ｌ３…接続部、５Ｌ４…配置部、５Ｌ５…凹部、５Ｌ６，５ＬＣ２…モダン（第１モダン、第２モダン）、５Ｌ６１…先端部、５ＲＡ，５ＲＢ，５ＲＣ…テンプル（第１テンプル、第２テンプル）、５Ｒ１，５ＲＣ１…延出部、５Ｒ１１，５Ｒ１２…側面、５Ｒ２，５Ｒ３…接続部、５Ｒ４…配置部、５Ｒ５…凹部、５Ｒ６，５ＲＣ２…モダン（第１モダン、第２モダン）、５Ｒ６１…先端部、６…カバー部材、ＣＴ…中心線、Ｌ１，Ｌ２…寸法、ＮＰ…ノーズパッド、ＲＬＡ，ＲＬＢ…回動軸（第１回動軸、第２回動軸）、ＲＲＡ，ＲＲＢ…回動軸（第１回動軸、第２回動軸）。
【図１】
2020053873.tif 000003
【図２】
2020053873.tif 000004
【図３】
2020053873.tif 000005
【図４】
2020053873.tif 000006
【図５】
2020053873.tif 000007
【図６】
2020053873.tif 000008
【図７】
2020053873.tif 000009
【図８】
2020053873.tif 000010
【図９】
2020053873.tif 000011
【図１０】
2020053873.tif 000012
【図１１】
2020053873.tif 000013
【図１２】
2020053873.tif 000014
【図１３】
2020053873.tif 000015
【図１４】
2020053873.tif 000016
【図１５】
2020053873.tif 000017
【図１６】
2020053873.tif 000018
【図１７】
2020053873.tif 000019
【図１８】
2020053873.tif 000020
【図１９】
2020053873.tif 000021